(57)【要約】      （修正有）【課題】ストーマ保有者は温泉施設等を何時でもどこでも気軽に入浴する事が出来ないのが現実で実際施設から拒否される。それは１００％の密封性がないからでありその不安を取り除く為の温泉装具を提供する。【解決手段】シールリング１をガイドシーリング２に組込み後、２にオーリング４、５を装着後冷却袋を収めてキャップ３を組込み、シーリング１をお腹に押付け回す事によりストロークされお腹との吸着力が高められる。キャップの中はお湯を遮断する事で便袋も濡れない。又、冷却袋を収めるので湯温度で体温の上昇を押え、汗で市販面板の接着面が剥がれる心配がなくなりいつでも安心して気軽に採便袋使用中でも安心して入浴を楽しむ事が出来る。【選択図】図１
2013169452.tif 000002
【特許請求の範囲】
【請求項１】
シールリング（１）をガイドシーリング（２）に設け、冷却袋を収めてキャップ（３）を組込む、以上の構成によりなる安心温泉入浴装具
【発明の詳細な説明】
【技術分野】
【０００１】この発明はストーマ保有者、傷病者が安心して温泉入浴を楽しむ為の温泉入浴装具に関するものである。
【背景技術】
【０００２】従来のストーマ保有者、傷病者の入浴装具ではシールテープでストーマ出口、傷口を塞ぐ又は市販面板と便袋を取外した所にキャップを接続するようになっている。
【発明の開示】
【発明が解決しようとする課題】
【０００３】従来のシールテープでストーマ出口、傷口を塞ぐのは入浴時長湯するとお湯で接着力が弱り排便圧で便がでる不安がある、便袋を取外した所にキャップを接続するのは採便袋使用中の時なら面板は便で汚れているのでキャップを接続交換するのは出先では簡単にはいかない。いつでも入浴とはいかない。温泉施設では１００％密封性が要求さる。本発明は、以上のような欠点をなくす為になされたものである。
【課題を解決するための手段】
【０００４】シールリング（１）をガイドシールリング（２）に組込後（２）にオーリング（４）（５）を装着後、冷却袋を収めてキャップ（３）を組込み、シールリング（１）をお腹に押付け回す事によりストロークされお腹との吸着力が高められる又、冷却袋内にどこにでもある自動販売機の冷水を入れて面板に全面接触するようにキャップの中に装着する事でお湯の温度で面板の接着力が低下する事が軽減される。使用中の採便袋を折りたたみ収納する事で何時どこでも気軽に温泉を楽しむ事ができる以上の構成によりなる温泉入浴装具である。同時特許申請中の整理番号Ｐ−２０１２−０２の中で排便排出部を一時的に閉にして合わせて使用する事で１００％に近い密封性が保持されて安心安全な温泉入浴装具である。
【発明の効果】
【０００５】１００％に近い密封性が保持される事で誰にも迷惑かける事無く健康な人たちと変わらず安心して温泉施設でも楽しむ事が出来る。
【発明を実施するための最良の形態】
【０００６】以下、本発明を実施するための最良の形態について説明する。
シールリング（１）はシリコンゴムを使用して外周に雄ネジを切ったガイドシールリング（２）に差込み組込む（２）はプラスチック製でかえりを設けておけば（１）はゆるぎ無い物になり（２）にオーリング（４）（５）を装着後ビニール製の冷却袋に冷水を入れ収めてプラスチック製の内周に雌ネジを切ったキャップ（３）を（２）に組込む事でストロークされると同時に吸着力が高められる。よってお湯との密閉性が確保される。
【図面の簡単な説明】
【０００７】
【図１】本発明の断面図及び正面図他断面詳細図である。
【図２】本発明の斜視図である。
【符号の説明】
【０００８】１    シールリング                ６    冷却袋
２    ガイドシールリング
３    キャップ
４    オーリング
５    オーリング
【図１】
2013169452.tif 000003
【図２】
2013169452.tif 000004
【図３】
2013169452.tif 000005
【手続補正書】
【提出日】平成24年3月20日(2012.3.20)
【手続補正１】
【補正対象書類名】図面
【補正対象項目名】全図
【補正方法】変更
【補正の内容】
【図１】
2013169452.tif 000006
【図２】
2013169452.tif 000007
【図３】
2013169452.tif 000008
【手続補正書】
【提出日】平成24年4月5日(2012.4.5)
【手続補正１】
【補正対象書類名】特許請求の範囲
【補正対象項目名】請求項１
【補正方法】変更
【補正の内容】
【請求項１】
シ−ルリング（１）をお腹に押付け密着させ冷却袋（６）と使用中の排便袋を中に折りたたみ収納してキャップ（３）を組込み回す事で吸着力を微調整できる。構成によりなる安心温泉入浴装具。
【手続補正２】
【補正対象書類名】明細書
【補正対象項目名】全文
【補正方法】変更
【補正の内容】
【発明の詳細な説明】
【技術分野】
【０００１】この発明はスト−マ保有者、傷病者が安心して温泉入浴を楽しむ為の温泉入浴装具に関するものである。
【背景技術】
【０００２】従来のスト−マ保有者、傷病者の入浴装具ではシ−ルテ−プでスト−マ出口、傷口を塞ぐ又は市販面板と採便袋を取外した所にキャップを接続するようになっている。
【発明の開示】
【発明が解決しようとする課題】
【０００３】従来のシ−ルテ−プでスト−マ出口、傷口を塞ぐのは入浴時長湯するとお湯で接着力が弱り排便圧で便が出る不安がある、採便袋を取外した所にキャップを接続するのは採便袋使用中の時なら面板は便で汚れているのでキャップを接続交換するのは出先では簡単にはいかない。又キャップの中は排便が充満して入浴後採便袋と取換えは、汚れて充満しているので簡単には出来ない、いつでも入浴とはいかない。温泉施設では１００％密封性が要求される。本発明は以上のような欠点をなくす為になされたものである。
【課題を解決するための手段】
【０００４】シ−ルリング（１）をガイドシ−ルリング（２）に組込み後（２）にオ−リング（４）（５）を装着後、冷却袋（６）を収納してキャップ（３）を組込み、シ−ルリング（１）をお腹に押付け（３）を回す事によりストロ−クされお腹との吸着力を微調整できる、又冷却袋内にはどこにでもある自動販売機の冷水を入れて面板に全面接触するようにキャップの中に収納する事でジャケットの役目をはたす、お湯の温度で面板の接着力が低下する事が軽減される。キャップの中に使用中の採便袋を折りたたみ収納する事で何時どこでも気軽に温泉を楽しむ事ができる、以上の構成によりなる温泉入浴装具である。同時特許申請中の［出願番号］特願２０１２−５０９７５の排便制御装具の中で排便排出部を一時的に閉にして合わせて使用する事でダブルの安心と１００％に近い密封性が保持されて入浴後の服の着替えもキャップを取除くのみで簡単で安心安全な温泉入浴装具になる。
【発明の効果】
【０００５】１００％に近い密封性が保持される事で誰にも迷惑かける事無く健康な人達と変わらず安心して温泉施設の入浴を楽しむ事が出来る。
【発明を実施するための最良の形態】
【０００６】以下、本発明を実施するための最良の形態について説明する。
シ−ルリング（１）はシリコンゴムを使用して外周に雄ネジを切ったガイドシ−ルリング（２）に差込み組込む（２）はプラスチック製で図面１のＡ部詳細のごとくかえりを設けておけば（１）はゆるぎ無い物になり（２）にオ−リング（４）（５）を装着後ビニ−ル製の冷却袋（６）に冷水を入れ中に収納してプラスチック製の内周に雌ネジを切ったキャップ（３）を（２）に組込む事でストロ−ク調整し吸着力を自在に微調整する事が出来る。よってお湯との密封性が確保される。
【図面の簡単な説明】
【０００７】
【図１】本発明の断面図及び正面図他断面詳細図である。
【図２】冷却袋の概略図
【図３】本発明の斜視図
【符号の説明】
【０００８】１    シールリング
２    ガイドシーリング
３    キャップ
４    オーリング
５    オーリング
６    冷却袋
【手続補正書】
【提出日】平成24年4月5日(2012.4.5)
【手続補正１】
【補正対象書類名】図面
【補正対象項目名】全図
【補正方法】変更
【補正の内容】
【図１】
2013169452.tif 000009
【図２】
2013169452.tif 000010
【図３】
2013169452.tif 000011
【手続補正書】
【提出日】平成24年4月5日(2012.4.5)
【手続補正２】
【補正対象書類名】明細書
【補正対象項目名】０００７
【補正方法】変更
【補正の内容】
【０００７】
【図１】  本発明の断面図及び正面図他断面詳細図である。
【図２】  冷却袋の概略図である。
【図３】  本発明の斜視図である。
【手続補正書】
【提出日】平成24年11月15日(2012.11.15)
【手続補正１】
【補正対象書類名】特許請求の範囲
【補正対象項目名】請求項１
【補正方法】変更
【補正の内容】
【請求項１】
シ−ルリング（１）をお腹に押付け密着させ、排便袋装着時にもキャップ（３）を組込み回す事で吸着力を高める。構成によりなる安心温泉入浴装具。
【手続補正書】
【提出日】平成24年11月27日(2012.11.27)
【手続補正１】
【補正対象書類名】特許請求の範囲
【補正対象項目名】請求項１
【補正方法】変更
【補正の内容】
【請求項１】
排便袋装着時にシールリング（１）をお腹に押付け密着させキャップ（３）を組込み回す事で吸着力の微調整ができる。構成によりなる安心温泉入浴装具。
【手続補正書】
【提出日】平成25年1月25日(2013.1.25)
【手続補正１】
【補正対象書類名】図面
【補正対象項目名】図１
【補正方法】変更
【補正の内容】
【図１】
2013169452.tif 000012